(57)【要約】  本発明は、第１の製品を収容している容器を閉鎖するために適している蓋１であり、この蓋１は、４つ以下の独立した部品からなるアセンブリであり、かつ、外側の側壁３、天面壁４及び側壁３の内側で天面壁４から下方へ延びている内側のスカート５を有する蓋であって、（ｉ）第１の製品とは別個に第２の製品を収容するための少なくとも１つの区画部６を画成するために、内側のスカート５は、蓋の天面壁４において露出される開口部を備えており、この開口部は、膜によって閉鎖されており、（ｉｉ）蓋１が容器の首部２にねじ結合されている場合、区画部６が環境大気からの酸素汚染を受けないように、天面壁開口部を閉鎖する膜１１が酸素バリア材料からなることを特徴とする蓋１に関する。【選択図】図１
2011514296.tif 000002
【特許請求の範囲】
【請求項１】
第１の製品を収容している容器を取外し可能に閉鎖するために適している蓋（１）であって、
４つ以下の独立した部品からなるアセンブリであり、かつ、外側の側壁（３）、天面壁（４）及び側壁（３）の内側で天面壁（４）から下方へ延びている内側のスカート（５）を有する蓋において、
（ｉ）前記第１の製品とは別個に第２の製品を収容するための少なくとも１つの区画部（６）を画成するために、前記内側のスカート（５）が、当該蓋の前記天面壁（４）において露出されている天面開口部を備えており、前記天面開口部が、閉鎖手段（１１）によって閉鎖されており、
（ｉｉ）当該蓋（１）が前記容器の首部（２）にねじ結合されている場合、前記区画部（６）が環境大気からの酸素汚染を受けないように、前記天面開口部を閉鎖する前記閉鎖手段（１１）が酸素バリア材料からなることを特徴とする、蓋。
【請求項２】
前記天面壁（４）に配置されている前記内側のスカート（５）における前記天面開口部が、１５ｍｍ〜５０ｍｍ、好ましくは２８ｍｍ〜３８ｍｍの直径を有する、請求項１に記載の蓋。
【請求項３】
前記閉鎖手段が封着用膜（１１）である、請求項１又は２に記載の蓋。
【請求項４】
前記閉鎖手段（１１）が、当該蓋における前記側壁及び／又は前記天面壁にヒンジで連結されている、当該蓋の残部と一体的に形成されている蓋部であり、前記蓋部が、さらに酸素バリア手段を備えている、請求項１又は２に記載の蓋。
【請求項５】
前記内側のスカート（５）が、その下部において、剥離可能な下部膜（１２）によって閉鎖されている第２の開口部をさらに備えている、請求項１〜４のいずれか一項に記載の蓋。
【請求項６】
前記内側のスカート（５）が、その下部において、底面壁（８）によって閉鎖されている第２の開口部を備えており、前記底面壁（８）は、当該蓋の前記スカートと一体的に形成されており、かつ、３００μｍ以下の、好ましくは２００μｍ以下の、より好ましくは１７０μｍ以下の厚さを有する環状の薄い壁（９）によって当該蓋の前記スカートに連結されている、請求項１〜４のいずれか一項に記載の蓋。
【請求項７】
前記剥離可能な下部膜（１２）又は前記底面壁（８）が、消費者がつかんで前記下部膜（１２）又は前記底面壁（８）を外すための一体形の易開封タブ又はピン（１０）をそれぞれ備えている、請求項５又は６に記載の蓋。
【請求項８】
前記区画部（６）を少なくとも２つのサブ区画部に分けるために、前記内側のスカート（５）は、当該蓋の高さに沿って全体が延びている少なくとも１つの垂直壁を有するシリンダである、請求項１〜７のいずれか一項に記載の蓋。
【請求項９】
前記スカート（５）が、当該蓋の前記天面壁（４）から高さ方向において下方へ延びている、請求項１〜８のいずれか一項に記載の蓋。
【請求項１０】
当該蓋が、射出された熱可塑性プラスチックの蓋であり、前記熱可塑性プラスチックは、ポリエチレン（ＰＥ）、ポリプロピレン（ＰＰ）、ポリスチレン（ＰＳ）又はこれらの組合せからなる群から選ばれている、請求項１〜９のいずれか一項に記載の蓋。
【請求項１１】
当該蓋が、前記容器の前記首部（２）におけるねじ山（１９）と協働するための、前記側壁の内側表面に配置されている対応のねじ山を備えているねじキャップである、請求項１〜１０のいずれか一項に記載の蓋。
【請求項１２】
第１の製品を収容している容器を閉鎖するために適している蓋（１）を製造、充填及び閉鎖するための方法であって、
前記蓋（１）が少なくとも１つの区画部（６）を有する方法において、
（ｉ）請求項３〜１１に記載の蓋を成形するステップと、
（ｉｉ）前記内側のスカート（５）が下部の開口部を備えている場合、前記内側のスカート（５）における前記下部の開口部を閉鎖するステップと、
（ｉｉｉ）前記第１の製品が予め充填されている容器における首部（２）に前記蓋（１）をねじ結合するステップと、
（ｉｖ）天面開口部を通して少なくとも１つの第２の製品を前記区画部（６）に充填するステップと、
（ｖ）前記区画部を全体的に閉鎖するために、取外し不可能な膜を前記天面開口部に封着することによって、又は、前記蓋が蓋部を備えている場合には、前記蓋部をそのヒンジを中心に旋回させて前記天面開口部にクリップ結合させることによって、前記天面開口部を閉鎖するステップと、
を備えていることを特徴とする、方法。
【請求項１３】
前記スカート（５）の前記下部の開口部を閉鎖するステップ（ｉ）は、必要に応じて、膜（１１）を封着することによって、又は、前記蓋の残部から独立して成形された底面壁（１５）を取り付けることによって達成される、請求項１２に記載の方法。
【請求項１４】
無菌状態で行われる、請求項１２又は１３に記載の方法。
【請求項１５】
前記第１の製品が、常温長期保存可能な乳製品又は冷蔵乳製品、フルーツベースの組成物、発酵の又は非発酵の穀物ベースの組成物、大豆ベースの製品、又はコーヒー製品からなる群から選ばれる液体組成物、半液体組成物、ゲル組成物、粉末組成物又は粒状組成物であり、
前記少なくとも１つの第２の製品が、ビタミン、エナジーブースト材料、フルーツジュース、プロバイオティックス、風味剤、着色剤、甘味料、ミネラル、炭酸塩のようなガス放出材料、又はこれらの組合せからなる群から選ばれる液体組成物、半液体組成物、ゲル組成物、粉末組成物又は粒状組成物である、請求項１〜１４のいずれか一項に記載の蓋又は方法。
【発明の詳細な説明】
【技術分野】
【０００１】
本発明は、収容用区画部付き蓋に関する。特に、酸素バリア性を有する収容用区画部付き蓋に関する。
【背景技術】
【０００２】
容器用の蓋は、長年に亘って発展されており、第１の材料又はその材料の混合物をメイン容器に収容すると共に、他の材料又はその材料の混合物を蓋の中に配置されている小さな容器に収容することができる。このような包装システムによって、収容前に混合されて互いに接触されると他の反応又は分解を起こす材料を、同じ包装において長期間保存することができる。この場合、消費直前に、消費者は、蓋の容器を開けて、この容器に収容されている製品をメイン容器に収容されている製品と混合する。
【０００３】
このような包装用閉鎖システムは、様々な従来技術文献において開示されており、そのいくつかを以下に引用し、簡単に説明する。
【０００４】
国際公開第２００６０４６７２１号（Coca-Colaが２００５年１０月２５日付けで提出）は、容器の中にある液体内容物に追加して、ある材料を収容するための収容用チャンバを有するキャップに関し、このキャップは、容器の口部に取り付けるベース部を含み、この容器は、液体内容物を通過させて容器から出すことができる排出口を有する。蓋部は、ねじ結合によってベース部に固定されており、収容用チャンバ及びこれを封止するための薄いシートを備えている。ベース部は、容器の内部スペースに繋がるチャネルを保持するために、排出口の内側の壁に固定される環状部分を有する。薄いシートを切って、収容用チャンバの中にある材料を容器の内部スペースに注ぎ、その中で内容物を混合するために、このベース部は、蓋部が下方へ移動すると、薄いシートと接触する傾斜ブレードを有する。
【０００５】
国際公開第２００４０３１０４７号（Boeringher  Ingelheim  Int.が２００３年９月２２日付けで提出）は、利用前に個別に収容される２つの混合用物質のための、特に液体物質及び粉末物質のための包装用ユニットに関する。この発明は、第１の容器及び第１の容器の首部において移動することができる第２の容器を備えている。第２の容器を移動して、第１の容器における閉鎖用キャップにねじ結合することによって開口される。
【０００６】
欧州特許出願公開第１２７０４３５号（牧田正行が２００２年３月８日に提出）は、互いに離別自在に螺合する第１の固定部及び第２の可動部を有するボトルキャップ又は栓部に関する。固定部は、可動部を支持するためのものであり、ボトルの首部に連結するための取付部及び軸線上の透孔を有する。可動部は、その一面から軸線上に突き出て透孔を挿通して封止する中栓部を有する。中栓部は、原料及び圧力気体の収容室を備えている。収容室の他端の開口部は栓で封止されている。栓と固定部との間に開栓手段が介在しており、栓は、固定部と可動部との相対移動時に開栓手段により開栓されるようになっている。
【０００７】
上述の蓋の全ては、経済的でかつ取扱簡単な解決策を提供することに失敗している。上述の従来技術の解決策における問題点は、蓋のコストが高いため、パッケージにおける全体コストは、３〜５倍になる。その後、これらの高いコストは、製品を買うため通常より高い価格を支払う最終消費者に課されるため、受け入れないことは明らかである。
【０００８】
さらに、壊すために消費者により加圧されて内容物を放出するための変形可能な区画部のような破壊可能な区画部を備えている蓋は、力又は能力に適応した消費者による取り扱いを必要とし、これによって、特定の人々へと利用が制限されており、優れた処理能力を有する大人であることが好ましい。子供、１０代の若者、高齢者又は障害者のような消費者は、上述の蓋を開口するために必要な全ての操作を、例えば、蓋を回して外した後、また回して取り付けること、蓋の一部分を開口すること、その後、膜を破るための構成要素を中に押し込むこと、又は、絞ること、加圧すること、引っ張ること、捻ること或いは同様な操作のような消費者による他の機械的な取り扱いを正確に行うことが困難である。簡単に言うと、蓋の中の内容物を開放してメイン容器に入れるために、取扱作業における所定の順序を必要とする蓋における全ての解決策は、消費者にとって十分に優しくない。
【０００９】
これらを考えて、欧州特許出願公開第０５５２１０５号（Remy  Deslandesが１９９３年１月１４日に提出）は、経済的に実行可能なよりシンプルな解決策を提供することを目指している。この出願において開示されている発明は、消費対象である液体製品１回分の消費のための容器に関し、この容器は特に、個別の主要液体投与量との随意の瞬時混合を目的とする添加剤の予備を収容している蓋部を備えている。このため、蓋部は、この添加剤の予備を主要液体投与量から隔離するための部材を備えており、容器は、この隔離手段を破るための手段を備えている。また、上記混合を行う目的で、蓋部の外側における第１手動作動操作、及び、混合後又は混合なしに、これを取り外す目的で、蓋部の第２操作における手動作動手段を受けている。
【００１０】
さらに、現在提案されている他のシステムは、蓋の中に充填される製品の別個包装操作、かつ、その後の、ボトルの充填と並行してボトルに蓋を位置決めする工場への移動を必要とする。したがって、蓋の充填ラインとボトルの閉鎖ラインとの間での移動中に、蓋の中に包装されている不安定な製品を、高価な技術及び包装を通じて水分及び酸素から保護しなければならない。さらに、ボトルに位置決めされる前の蓋の衛生処理は、必要ではあるが、技術的に実現することが非常に困難である。最後に、重要なこととして、ボトルの生産予測は計画を立てることが困難であるため、ボトルの閉鎖ステップとは個別に充填する必要がある蓋は、予め充填されている蓋の在庫を作ることを必要とすることは事実である。予め充填されているこの在庫は、必ずしも適当ではなく、蓋待ちボトルの数が、蓋の在庫数より多くない場合には、予め充填されている蓋の浪費をもたらす。蓋に充填される製品の価格を考慮すると、このような浪費は、経済的な理由から非常に望ましくない。
【発明の概要】
【発明が解決しようとする課題】
【００１１】
したがって、本発明の主な目的は、メイン容器の内容物とは別個に少なくとも１つの酸素感応性製品を収容することができる、安価で製造しやすい容器用蓋を提供することにあり、かつ、可能な限り簡単で、ワンステップで行うことができるボトル上の蓋の製造、充填及び閉鎖の方法を提供することにある。
【課題を解決するための手段】
【００１２】
上記の目的及び需要は、本発明の蓋によって満たされる。本発明の蓋は、第１の製品を収容している容器を取外し可能に閉鎖するために適しているものであって、４つ以下の独立した部品からなるアセンブリであり、かつ、外側の側壁、天面壁及び側壁の内側で天面壁４から下方へ延びている内側のスカート５を有する蓋において、
（ｉ）第１の製品とは別個に第２の製品を収容するための少なくとも１つの区画部を画成するために、内側のスカートが、当該蓋の天面壁において露出されている天面開口部を備えており、この天面開口部が、閉鎖手段によって閉鎖されており、
（ｉｉ）当該蓋が容器の首部にねじ結合されている場合、区画部が環境大気からの酸素汚染を受けないように、天面開口部を閉鎖する閉鎖手段が酸素バリア材料からなることを特徴とするものである。
【００１３】
天面壁に配置されている内側のスカートにおける天面開口部は、１５ｍｍ〜５０ｍｍ、好ましくは２８ｍｍ〜３８ｍｍの直径を有することが有利である。このような直径範囲は、延伸ブロー成形された標準ボトルの首部に対応している。しかしながら、本発明の蓋は、サイズにおいて上記の好ましい寸法よりかなり大きくすることができるため、及び／又は、上記の好ましい寸法より小さい又は大きい首部直径を有する容器に適合させ得るため、上記直径範囲は、制限されるものとして考えるべきではない。
【００１４】
本発明の第１の可能な実施形態において、前記天面閉鎖手段は、封着されている膜である。
【００１５】
第２の可能な実施形態において、前記天面閉鎖手段は、蓋の側壁及び／又は天面壁にヒンジで連結されている、蓋の残部と一体的に形成されている蓋部であり、この蓋部は、酸素バリア手段をさらに備えている。
【００１６】
本発明による蓋における他の可能な実施形態において、内側のスカートは、その下部において、第２の開口部をさらに備えることができ、この開口部は、剥離可能な下部膜又は底面壁のどちらかによって閉鎖されており、この底面壁は、蓋のスカートと一体的に形成されており、かつ、３００μｍ以下の、好ましくは２００μｍ以下の、より好ましくは１７０μｍ以下の厚さを有する環状の薄い壁によって蓋のスカートに連結される。
【００１７】
剥離可能な下部膜又は底面壁は、消費者がつかんで下部膜又は底面壁（８）を外すための一体形の易開封タブ（下部膜の場合）又はピン（取外し可能な底面壁の場合）をそれぞれ備えることが好ましい。
【００１８】
本発明による蓋は、内側のスカートを備えることが有利であると考えられる。前記区画部を少なくとも２つのサブ区画部に分けるために、この内側のスカートは、蓋の高さに沿って全体が延びている少なくとも１つの垂直壁を有するシリンダである。この態様において、２つ以上の製品を、粉末、ゲル、液体又は他の状態で、この蓋における各サブ区画部に個別に収容及び保存することが可能である。
【００１９】
本発明の非常に好ましい実施形態において、蓋における内側のスカートは、蓋の天面壁から高さ方向において下方へ延び、蓋の側壁における下部の縁部の水平面より下へ延びる。
【００２０】
本発明の蓋は、射出された熱可塑性プラスチックの蓋であり、この熱可塑性プラスチックは、ポリエチレン（ＰＥ）、ポリプロピレン（ＰＰ）、ポリスチレン（ＰＳ）又はこれらの組合せからなる群から選ばれることが有利である。
【００２１】
本発明の他の可能な実施形態において、蓋は、容器の首部におけるねじ山と協働するための、側壁の内側表面に配置されている対応のねじ山を備えているねじキャップである。
【００２２】
本発明は、第１の製品を収容している容器を閉鎖するために適している蓋を製造、充填及び閉鎖するための方法であって、蓋が少なくとも１つの区画部を有するこの方法において、
（ｉ）上述の実施形態による蓋を成形するステップと、
（ｉｉ）内側のスカートが下部の開口部を備えている場合、内側のスカートにおける下部の開口部を閉鎖するステップと、
（ｉｉｉ）第１の製品が予め充填されている容器における首部に蓋をねじ結合するステップと、
（ｉｖ）天面開口部を通して少なくとも１つの第２の製品を区画部に充填するステップと、
（ｖ）区画部を全体的に閉鎖するために、取外し不可能な膜を天面開口部に封着することによって、又は、蓋が蓋部を備えている場合には、蓋部をそのヒンジを中心に旋回させて天面開口部にクリップ結合させることによって、天面開口部を閉鎖するステップと、を備えていることを特徴とする方法に関する。
【００２３】
スカートの下部の開口部を閉鎖するステップ（ｉ）は、必要に応じて、膜を封着することによって、又は、蓋の残部から独立して成型された底面壁を取り付けることによって達成されることが好ましい。
【００２４】
上述の方法は、無菌状態で行われることがさらに好ましい。
【００２５】
蓋のいずれかの実施形態において又は上記の方法おいて、第１の製品は、常温長期保存可能な乳製品或いは冷蔵乳製品、フルーツベースの組成物、発酵の或いは非発酵の穀物ベースの組成物、大豆ベースの製品、又はコーヒー製品からなる群から選ばれる液体組成物、半液体組成物、ゲル組成物、粉末組成物又は粒状組成物であり、少なくとも１つの第２の製品は、ビタミン、エナジーブースト材料（energy-boosting ingredients）、フルーツジュース、プロバイオティックス、風味剤、着色剤、甘味料、ミネラル、炭酸塩のようなガス放出材料、又はこれらの組合せからなる群から選ばれる液体組成物、半液体組成物、ゲル組成物、粉末組成物又は粒状組成物である。
【００２６】
本発明のさらなる特徴及び利点を、図面を参照しながら、以下の好ましい実施形態の説明において説明し、以下の好ましい実施形態の説明から明らかとなる。
【図面の簡単な説明】
【００２７】
【図１】本発明の蓋の一実施形態における断面概略図である。
【図２】本発明の蓋の第２の実施形態における断面概略図である。
【図３】本発明の蓋の第３の実施形態における断面概略図である。
【図４】本発明の蓋の第４の実施形態における断面概略図である。
【図５Ａ】本発明の第４の実施形態による蓋の使用における一ステップを示す。
【図５Ｂ】本発明の第４の実施形態による蓋の使用における一ステップを示す。
【図５Ｃ】本発明の第４の実施形態による蓋の使用における一ステップを示す。
【図５Ｄ】本発明の第４の実施形態による蓋の使用における一ステップを示す。
【図６Ａ】本発明の第２の実施形態による蓋の使用における一ステップを示す。
【図６Ｂ】本発明の第２の実施形態による蓋の使用における一ステップを示す。
【図６Ｃ】本発明の第２の実施形態による蓋の使用における一ステップを示す。
【図６Ｄ】本発明の第２の実施形態による蓋の使用における一ステップを示す。
【発明を実施するための形態】
【００２８】
図１、図２及び図３に示す蓋１は、第１タイプの製品（図示せず）が収容されている容器を取外し可能に閉鎖するために適している。図面では、このような容器の首部２のみ示す。
【００２９】
蓋１は、外側の側壁３、天面壁４、側壁３の内側で天面壁４から下方へ延びている内側のスカート５を有する。内側のスカート５は少なくとも１つの開口部を備えている。蓋の前記部分は、射出成形又は圧縮成形によって、ポリプロピレン（ＰＰ）又はポリエチレン（ＰＥ）を用いて一体的に成形されている。
【００３０】
本発明によると、蓋１は、前記第１の製品から独立して第２の製品７を収容するために、前記蓋の内側に１つの閉鎖されている区画部６を備えている。
【００３１】
前記閉鎖されている区画部６の内容積部は、１〜５０ｍｌ、好ましくは７〜３０ｍｌ、より好ましくは１０〜２０ｍｌで構成されており、これによって、多量の第２の製品７を収容することができ、粉末状又は粒状である場合には、２〜５０ｇで構成されている。しかし、区画部６の容積部は、内側のスカートの高さを大きくすることによって、及び／又は、内側のスカート５の直径を大きくすることによって、必要に応じて５０ｍｌを超えて（少なくとも１００ｍｌまで）大きくすることができる。したがって、本発明では、蓋壁の高さ又は蓋の全体の直径が限られているにもかかわらず、区画部６の容積部を大幅に大きくすることができる。
【００３２】
図１に示す本発明の第１の可能な実施形態において、蓋１における内側のスカート５は、蓋１における天面壁４において露出されている１つの上部の開口部を備えている。前記スカートの下部は、底面壁８によって閉鎖されており、前記底面壁は、蓋の残部と一体的に形成されている。図１に示すように、内側のスカート５における下部の縁部と底面壁８との間にある部分９は、蓋における隣接部分より薄い。例えば、内側のスカート５の壁及び底面壁８が約７００μｍである場合、部分９における小さくした厚さは、２００μｍ未満、好ましくは１７０μｍ未満であり、これによって、内側のスカートの壁から底面壁８を外すために、引き裂くことによって簡単に開口することができる。この領域における材料の厚さは、２００μｍ未満である。さらに、前記底面壁８における下部表面は、例えば図１に示すピン１０のような操作手段を備えている。
【００３３】
第１の実施形態において、蓋１は、工場の閉鎖用機械に運ばれ、その後、液体が前もって充填されたボトルの首部にねじ結合される。ボトルは、酸素を阻む材料で作られている。次に、蓋の区画部６には、無菌状態下で内側のスカート５における天面部の開口部を通って、例えばプロバイオティックス、ビタミン及びミネラルの混合物からなる粉末状の第２の製品７が充填される。充填された後、アルミニウム膜１１が、蓋１の天面部４に封着される。このように、アルミニウム膜１１で閉鎖されたスカート５は、第２の製品７で充填されている閉鎖された区画部６を画成する。
【００３４】
「アルミニウム膜」とは、例えばポリエチレン（ＰＥ）又はポリプロピレン（ＰＰ）のようなシール用層をさらに含むアルミニウムからなる膜を意味し、このシール用層によって、膜は、例えばヒートシール技術又は超音波シール技術によって蓋をシールすることができる。あるいは、適当な膜は、ポリエチレンテレフタレート（ＰＥＴ）＋エチルビニルアルコール（ＥＶＯＨ）の多層のものからなり得る。
【００３５】
蓋１がボトルの首部２にねじ結合されると、区画部６は、酸素バリア性を有する壁によって全体的に囲まれ、その後ボトルの内側に配置されて、その天面壁４のみをもって環境大気に接触し、酸素バリア性の膜１１によって閉鎖される。ボトルに収容されている第１の製品及び蓋の区画部６に収容されている第２の製品７は、パッケージにおける独立した位置に配置されているため、パッケージに数週間収容され得る。したがって、二つの製品が混合されて、パッケージにおける同じ位置に収容されているときの状況と比較すると、全ての製品の寿命は延長される。
【００３６】
図６Ａ〜図６Ｄに示すように消費する直前に、消費者はボトルの首部２から蓋１を回して外し（図６Ａ）、内側のスカート５における底面壁８を引き離して剥がすために、図６Ｂに示すように、蓋１を逆さまに回転してから、ピン１０を引き、よって、区画部６が開く。次に、消費者は、図６Ｃに示すように、区画部６に収容されている第２の製品７をボトルに注ぎ、その後、蓋１をボトルの首部３に戻してねじ結合させる。最後に、図６Ｄに示すように、消費者は、前記ボトルに収容されている第１の製品及び第２の製品を確実に混合するために、再閉鎖されたボトルを振る。
【００３７】
図２に示す本発明の第２の可能な実施形態において、蓋１は、内側のスカート５が２つの開口部、つまり１つの上部の開口部及び１つの下部の開口部を備えるように、実質的にシリンダとして成形されている。射出成形後、内側のスカートにおける下部の開口部は、下部の膜１２によって閉鎖されており、この下部の膜は、取外し可能な手段で、内側のスカートの壁における下部の縁部１３に封着される。好ましくは、図２に示すように、剥離可能な下部の膜１２は、蓋の区画部６の外側で外に向けられている少なくとも１つの延長部分を備えており、この延長部分によって、例えば前記下部の膜１２に易開封機構を与えている。
【００３８】
内側のスカート５の下部の開口部が閉鎖されると、蓋の区画部６に収容されるべき第２の製品７は、前記スカート５における天面開口部を通って充填され得る。天面開口部は、自動化されたラインにおける区画部６への充填を、こぼすことなく正確に行うために、１５ｍｍ〜５０ｍｍ、好ましくは２８ｍｍ〜３８ｍｍで構成される直径を有する。充填ステップの後、前記上部の開口部は、酸素バリア材料からなる膜１１を蓋１における天面壁４に封着することによって閉鎖される。好ましくは、この上部の膜１１は、取外し不可能な手段で封着される。これは、非常に厚い膜用材料又は機械的耐性のある膜用材料を選ぶことによって、及び／又は、蓋の天面壁と膜との間にある封着用領域における表面を増やすことによって達成できる。
【００３９】
消費者にとって、区画部６を開封するステップ、かつ、消費の前にボトルに収容されている第１の製品と内容物７を混合するステップは、上記の本発明の第１の可能な実施形態に記載のものとほとんど同様であり、同様に図面における図６Ａ〜図６Ｄを参照する。
【００４０】
図３に示す本発明の第３の可能な実施形態において、蓋１はシリンダとして射出成形されており、この場合、内側のスカート５は、二つの開口部、つまり上部の開口部及び下部の開口部を備えている。その後、下部の開口部は、前記スカート５の下部の開口部の近傍に更なる壁１５を固定することによって閉鎖される。図３に示すように、この更なる下部の壁１５は、（機械的な手段によって）ねじ又はクリップで結合することによって取り付けることができ、かつ、内側のスカートにおける前記下部の壁を取り外すことができないような態様で行われることが好適である。この更なる底面壁１５は、蓋の残部とは別個に射出成形された硬性の部分である。
【００４１】
天面壁における蓋の開口部は、１５ｍｍ〜５０ｍｍ、好ましくは２８ｍｍ〜３８ｍｍで構成される開口部直径を有するため、区画部６を第２の製品７で充填するために適している。蓋の区画部６が充填されると、その後、区画部は、取外し可能な態様で封着される膜１１を取り付けることによって閉鎖される。好ましくは、前記膜が、易開封手段（図示せず）として、消費者が簡単につかむことができる外側へ延びているタブを備えている。
【００４２】
蓋の区画部６を開封するステップ、投入するステップ、及び区画部に収容されている第２の製品をメインボトルに収容されている第１の製品と混合するステップを、図面に示す（図５Ａ〜図５Ｄ）。図５Ａに示すように、消費者は最初に、ボトルの首部２から蓋１を回して外し、その後、図５Ｂに示すように上部の膜１１を剥離する。次に、消費者は、図５Ｃに示すように、蓋の内容物７をボトルの中に注ぐことができるように、ボトルの首部２の上方で蓋１を回転して逆さまにする。完了すると、図５Ｄに示すように、蓋１をボトルの首部２に戻してねじ結合させ、かつ、消費前に第１及び第２の製品を混合するために、閉鎖されたボトルを力強く振る。
【００４３】
図４に示す本発明の第４の可能な実施形態において、蓋１は、上記の第３の実施形態に記載の蓋と非常に似ている。しかし、この特殊な場合には、蓋の内側のスカートにおける底面壁１６が、蓋の残部と一体的に成形されている。
【００４４】
上記の本発明の全ての実施形態において、スカート５は、蓋１における天面壁４から高さ方向で下方へ延び、蓋の側壁３における下部の縁部の水平面より下方へ延びていることが好ましい。これは、例えば図１〜図４からはっきり確認することができる。最後に、蓋１は、ねじ結合することによってボトルの首部２に固定されることが好ましく、この趣旨で、蓋の側壁３は、蓋の側壁３における内側面に沿って配置されているねじ山１８を備えている。このねじ山は、容器の首部２における対応するねじ山１９と協働するための手段である。
【００４５】
本発明は、蓋に充填する工程及びその蓋を閉鎖する工程をさらに対象とし、この蓋は、第１の製品を収容している容器を閉鎖するために適しており、請求項４〜１２による少なくとも１つの区画部を有し、（ｉ）必要に応じて、内側のスカートにおける下部の開口部を剥離可能な膜で閉鎖するステップ、（ｉｉ）第１の製品が前もって充填されている容器における首部に前記蓋をねじ結合するステップ、（ｉｉｉ）少なくとも１つの第２の製品を、天面開口部を通って前記区画部に充填するステップ、（ｉｖ）前記区画部を全体的に閉鎖するために、前記天面開口部に取外し不可能な膜を封着することによって、又は、蓋が蓋部を備えている場合には、蓋部をそのヒンジを中心に旋回させて、前記天面開口部にクリップで留めることによって、前記天面開口部を閉鎖するステップを順番に備えていることを特徴とする。
【００４６】
本発明の蓋によって、ボトルのオンライン生産及びボトルへの第１の製品（例えば、液体ヨーグルトのような液体乳製品組成物）の充填を、同じ生産ラインで行うことができ、この生産ラインはまた、蓋を製造するために、かつ、第２タイプの製品（例えば、プロバイオティックス粉末）をその蓋に充填するために用いられる。充填されたボトルに蓋をねじ結合すると、閉鎖されたボトルは、粉末を充填するための充填段階へ導かれる。衛生状態は、ボトルの充填から蓋の充填及び蓋の封着までの生産ラインでずっと保持されている。したがって、ロジスティックは、前もって説明したような予め充填されている蓋の在庫を必要とする全ての既存の従来システムより明らかにずっと簡単である。
【００４７】
蓋の区画部に収容することができる第２の製品ｌの一例は、次のように処方される。
【表１】
2011514296.tif 000003
【００４８】
上の実施例において、第２の製品は液状又は半液状である。しかし、粉末状で収容されるように処理することができ、これによって、消費者が、投入すること及びメイン容器における内容物と混合することがより便利となる。
【００４９】
背景技術に記載の全ての包装方法において、いずれも酸素バリアについて開示していない。したがって、それらは、酸素バリア性を満たす二次包装、例えばポリエチレンテレフタレート（ＰＥＴ）の外側ラップを必要とし、閉鎖されたボトルの周りの全体に配置される。このような二次包装は、生産を複雑化するだけでなく、包装における全体的なコストを増やし、明らかに望ましくない。
【００５０】
本発明は、栄養補強製品におけるいくつかの必須材料を非液状で収容するための非常に効率的な方法を提供する。例えば、液状で収容されると通常不快な味になっていく鉄及び他の金属塩は、粉末状又は粒状で、メインの液体製品とは別個に本発明による蓋に収容することができる。この方法において、消費直前に鉄（又は他の金属）塩が添加され、これによって、不快な味／金属味が現れることがないという液状最終製品からの利益を消費者は得ることができる。その一方で、既存の製品と比べて製品の寿命が延びる。本発明はまた、液状下で安定しない（したがって、液状で収容できない）栄養分子又は医薬分子、例えばグルタミンを収容するためにも適しており、よって、このような材料は、消費する直前に添加され得る。
【００５１】
ここに記載の現在好適な実施形態に対する様々な変更及び修正は、当業者に明らかであることを理解されたい。このような変更及び修正は、本発明の精神及び範囲から逸脱することなく、かつ、付随する利点を損なうことなく行うことができる。したがって、このような変更及び修正は、添付の特許請求の範囲によりカバーされるものである。
【図１】
2011514296.tif 000004
【図２】
2011514296.tif 000005
【図３】
2011514296.tif 000006
【図４】
2011514296.tif 000007
【図５Ａ】
2011514296.tif 000008
【図５Ｂ】
2011514296.tif 000009
【図５Ｃ】
2011514296.tif 000010
【図５Ｄ】
2011514296.tif 000011
【図６Ａ】
2011514296.tif 000012
【図６Ｂ】
2011514296.tif 000013
【図６Ｃ】
2011514296.tif 000014
【図６Ｄ】
2011514296.tif 000015
【国際調査報告】
2011514296.tif 000016
2011514296.tif 000017
2011514296.tif 000018